(57)【要約】【課題】各種電子機器の操作入力部に用いられる可動接点付きシートに関し、軽快なクリック感を有するものを提供することを目的とする。【解決手段】上方に膨らんだドーム状をした弾性金属薄板からなる可動接点３を下面の粘着剤２で所定位置に粘着保持しているベースシート２１を、可動接点３のドーム状頂点部に対応する下面位置に円柱形の突出部２１Ａが形成され、その反対面は上記突出部２１Ａに沿った円形の凹部２１Ｂに形成されたものとした。そして、その凹部２１Ｂ底面の中央に操作突起５が接着剤４で固着され、その操作突起５の上部を凹部２１Ｂの上方位置に突出させた構成とした。【選択図】図１
2010244795.tif 000002
【特許請求の範囲】
【請求項１】
上方に膨らんだドーム状に形成された弾性金属薄板製の可動接点と、下面に備えた粘着剤で上記可動接点を粘着保持した一様な厚みの絶縁樹脂フィルム製のベースシートとを有する可動接点付きシートであって、上記ベースシートは、上記可動接点のドーム状頂点部に対応する下面位置に突出部が設けられていることを特徴とする可動接点付きシート。
【請求項２】
ベースシート下面に設けられた突出部は、上方から加圧体で熱変形させて形成されたものであり、その熱変形によって生じた上記突出部の反対面の凹部位置に操作突起が設けられていることを特徴とする請求項１記載の可動接点付きシート。
【発明の詳細な説明】
【技術分野】
【０００１】
本発明は、各種電子機器の操作入力部に用いられ、固定接点を備えた配線基板上に粘着固定されてパネルスイッチを構成する可動接点付きシートに関するものである。
【背景技術】
【０００２】
各種電子機器の操作入力部に用いられるパネルスイッチにおいては、固定接点を備えた配線基板上に可動接点付きシートが粘着固定されて構成されたものが多く使用されている。
【０００３】
このような従来の可動接点付きシートについて、図５〜図８を用いて説明する。
【０００４】
図５は従来の可動接点付きシートの断面図、図６は同分解斜視図であり、同図において、１は下面に粘着剤２を備えた絶縁性フィルムからなるベースシート、３は上方に膨らんだドーム状に形成された弾性金属薄板からなる円形の可動接点で、複数の可動接点３は、その各々の上面が上記ベースシート１下面の粘着剤２で所定位置に粘着保持されている。
【０００５】
５は円柱形をした絶縁樹脂製の操作突起で、上記可動接点３のドーム状の頂点部に対向した上記ベースシート１の上面位置に接着剤４で下面が固着されており、これらで可動接点付きシートが構成されている。
【０００６】
そして、上記可動接点付きシートのベースシート１、可動接点３の下面に異物が付着すること等を防止するために、ベースシート１の下面全面を覆って保護シート６が粘着剤２で粘着されている。
【０００７】
次に上記可動接点付きシートの保護シート６を剥がして、配線基板に装着した状態での構成とその動作を、図７、図８を用いて説明する。
【０００８】
図７は可動接点付きシートを配線基板に装着して構成したパネルスイッチの断面図、図８は同動作状態の断面図である。
【０００９】
図７において、１１は配線基板であり、その上面には、中央固定接点１２とその中央固定接点１２から所定距離離れた位置に設けられた外側固定接点１３とが１組となる固定接点が、複数組、所定位置に配設されている。１４は絶縁性樹脂を印刷等で形成したレジストで、１組となる中央固定接点１２と外側固定接点１３の組どうしの間の位置に設けられている。
【００１０】
そして、この配線基板１１上にベースシート１下面の粘着剤２で可動接点付きシートが粘着状態で装着されている。この状態で、複数の可動接点３のそれぞれは、１組の中央固定接点１２と外側固定接点１３のそれぞれに対応した位置にあり、その外周下端が外側固定接点１３上に載って、ドーム状頂点部下面が隙間をあけて中央固定接点１２と対面した個々のスイッチとなり、全体としてパネルスイッチが構成されている。
【００１１】
次にその動作を説明する。まず、操作突起５の上面を押し下げるように押下力を加えると、ベースシート１を介して可動接点３のドーム状頂点部に押下力が加わる。そして、その力が所定の大きさになると、図８に示すように、可動接点３がクリック感を伴って弾性反転し、ドーム状頂点部下面が下方の中央固定接点１２に接触し、可動接点３を介して外側固定接点１３と中央固定接点１２との間が電気的に導通し、スイッチオン状態となる。
【００１２】
そして、操作突起５に加えていた押下力を除去すると、可動接点３が自己復帰力によってクリック感を伴って弾性復帰し、ドーム状頂点部下面が中央固定接点１２から離れて、外側固定接点１３と中央固定接点１２との間が電気的に絶縁状態となり、元の図７に示すスイッチオフとなるものであった。
【００１３】
なお、この出願の発明に関連する先行技術文献情報としては、例えば、特許文献１が知られている。
【先行技術文献】
【特許文献】
【００１４】
【特許文献１】特開２００２−２１６５８２号公報
【発明の概要】
【発明が解決しようとする課題】
【００１５】
しかしながら、上記従来の可動接点付きシートにおいては、可動接点３上面の広い範囲がベースシート１下面の粘着剤２に粘着保持されているため、上方から操作突起５を押圧操作した際に、ベースシート１を介して可動接点３に加わる押圧力が操作突起５に対向した範囲だけでなく、そこから離れた部分の広い範囲に及んで、弾性反転、弾性復帰の動作時のクリック感が鈍化するという課題があった。
【００１６】
本発明は、このような従来の課題を解決するものであり、押圧力を可動接点のドーム状頂点部に集中させることができて、軽快なクリック感を有する可動接点付きシートを提供することを目的とする。
【課題を解決するための手段】
【００１７】
上記目的を達成するために本発明は、以下の構成を有するものである。
【００１８】
本発明の請求項１に記載の発明は、上方に膨らんだドーム状に形成された弾性金属薄板製の可動接点と、下面に備えた粘着剤で上記可動接点を粘着保持した一様な厚みの絶縁樹脂フィルム製のベースシートとを有する可動接点付きシートであって、上記ベースシートは、上記可動接点のドーム状頂点部に対応する下面位置に突出部が設けられていることを特徴とする可動接点付きシートとしたものであり、ベースシート下面に設けた突出部により、可動接点のドーム状頂点部に集中して押圧力を加えることができるため、軽快なクリック感を有した可動接点付きシートを提供することができるという作用を有する。
【００１９】
請求項２に記載の発明は、請求項１記載の発明において、ベースシート下面に設けられた突出部は、上方から加圧体で熱変形させて形成されたものであり、その熱変形によって生じた上記突出部の反対面の凹部位置に操作突起が設けられていることを特徴とするものであり、新たな構成部材を用いることなく容易に突出部を形成でき、かつ操作突起により安定した押圧面が得られるという作用を有する。
【発明の効果】
【００２０】
以上のように本発明によれば、操作時に受ける押圧力を可動接点のドーム状頂点部に集中させることができて、軽快なクリック感を有する可動接点付きシートを提供することができるという有利な効果が得られる。
【図面の簡単な説明】
【００２１】
【図１】本発明の一実施の形態による可動接点付きシートの断面図
【図２】同配線基板に装着して構成したパネルスイッチの断面図
【図３】同動作状態の断面図
【図４】別形態の可動接点付きシートの断面図
【図５】従来の可動接点付きシートの断面図
【図６】同分解斜視図
【図７】同配線基板に装着して構成したパネルスイッチの断面図
【図８】同動作状態の断面図
【発明を実施するための形態】
【００２２】
以下、本発明の実施の形態について、図１〜図４を用いて説明する。なお、従来の技術の項で説明した構成と同一構成の部分には同一符号を付して、詳細な説明を簡略化する。
【００２３】
（実施の形態）
図１は本発明の一実施の形態による可動接点付きシートの断面図であり、同図において、２１はＰＥＴ樹脂、ＰＰ樹脂などの一様な厚みの絶縁樹脂フィルムからなるベースシートで、下面全面に粘着剤２が設けられている。
【００２４】
３は下方開口の上方に膨らんだドーム状に形成されたステンレス鋼板、ばね用りん青銅板などの弾性金属薄板からなる円形の可動接点で、複数の可動接点３がそのドーム状頂点部の上面を上記ベースシート２１下面の粘着剤２で所定位置に粘着され、保持されている。
【００２５】
そして、この可動接点３を粘着保持しているベースシート２１においては、可動接点３のドーム状頂点部に対応する下面位置に円柱形の突出部２１Ａが形成されており、反対面はその突出部２１Ａに沿った円形の凹部２１Ｂに形成されている。
【００２６】
したがって、可動接点３は、上記ベースシート２１の突出部２１Ａ下面の粘着剤２でドーム状の頂点部上面が粘着され、そのドーム状の頂点部から少し離れた外周部の上面がリング状に粘着保持されている。
【００２７】
また、ベースシート２１下面に設けられた突出部２１Ａは、粘着剤２が下面に設けられた一様な厚みの絶縁樹脂フィルムに対し、その上方から所定温度に加熱された図示しない円柱形の加圧体を所定時間押し当て、熱で塑性変形させて、所定の突出量の円柱形の突出部２１Ａを有するものに形成している。
【００２８】
なお、ベースシート２１の厚みは０．０２５ｍｍ〜０．０５ｍｍであると熱変形による突出加工が容易で量産性に適しており、本実施の形態のものは、０．０２５ｍｍの厚みのＰＥＴ樹脂フィルムを用い、そして、突出部２１Ａの突出量は、０．２ｍｍで、その外径は、φ２ｍｍとしている。
【００２９】
５はＰＥＴ樹脂やＴＰＵ樹脂などの絶縁樹脂からなる円柱形の操作突起で、その外径はベースシート２１上面の凹部２１Ｂの内径より小さく、その凹部２１Ｂ底面の中央に接着剤４で固着されており、その上部は凹部２１Ｂの上方位置に突出している。
【００３０】
このように本実施形態の可動接点付きシートは構成されており、その保管や搬送時には、ベースシート２１、可動接点３の下面に塵埃などの異物付着を防止するため、保護シート６がベースシート２１下面全面を覆って粘着剤２で粘着された形態とされる。
【００３１】
次に、この可動接点付きシートの保護シート６を剥がして、配線基板に装着して構成したパネルスイッチについて、図２、図３を用いて説明する。
【００３２】
図２は本実施形態の可動接点付きシートを配線基板に装着して構成したパネルスイッチの断面図、図３は同動作状態の断面図であり、図２、図３において、１１は、上面に１組となる中央固定接点１２と外側固定接点１３が、複数組、所定位置に配設されている配線基板で、１組となる中央固定接点１２と外側固定接点１３の組どうしの間の位置にはレジスト１４が設けられている。
【００３３】
そして、この配線基板１１上にベースシート２１下面の粘着剤２で可動接点付きシートが粘着されて装着され、この装着状態で、各可動接点３はその外周下端が外側固定接点１３上に載せられ、ドーム状の頂点部下面が間隔をあけて中央固定接点１２と対面しており、１つの可動接点３と１組の固定接点１２，１３とで１つのスイッチが構成され、全体として複数のスイッチを備えたパネルスイッチに構成されている。
【００３４】
次に、この可動接点付きシートを用いて構成されたパネルスイッチの動作を説明する。
【００３５】
まず、ベースシート２１の凹部２１Ｂから上方に突出した操作突起５を押し下げるように上方から押下力を加えると、ベースシート２１凹部２１Ｂの対向面の突出部２１Ａが可動接点３のドーム状頂点部を押し下げるように力が可動接点３に加わる。そして、その力が所定の大きさを超えると、図３に示すように、可動接点３がクリック感を伴って弾性反転し、ドーム状頂点部の下面が中央固定接点１２に接触し、可動接点３を介して外側固定接点１３と中央固定接点１２の間が電気的に導通し、スイッチオン状態になる。
【００３６】
ここで、可動接点３が弾性反転動作する際に受ける押圧力の加わる範囲は、ベースシート２１下面の突出部２１Ａが粘着剤２を介して当接した一定の押圧範囲であり、可動接点３のドーム状頂点部に集中して押圧力が加えられるので、その力が分散せず、軽快なクリック感を生じる動作が得られる。
【００３７】
また、突出部２１Ａに対応した上面の凹部２１Ｂ内に操作突起５を固着しているため、押圧操作の繰り返しに対しても突出部２１Ａが潰れることがなく、長期にわたって軽快なクリック感を維持することができる。
【００３８】
そして、操作突起５に加えていた押圧力を解除して、押圧力が所定の大きさより小さくなると、可動接点３が自己復帰力によりクリック感を伴って、元の上方に膨らんだドーム状に弾性復帰し、ドーム状頂点部下面が中央固定接点１２から離れて、外側固定接点１３と中央固定接点１２との間が電気的に絶縁状態になり、元の図２に示すスイッチオフの状態となる。
【００３９】
このように本実施の形態によれば、ベースシート２１下面に設けた突出部２１Ａが粘着剤２を介して当接した粘着範囲である可動接点３のドーム状頂点部に対し、集中して押圧力を加えることができるため、可動接点３の弾性変形動作が滑らかで、軽快なクリック感を有した可動接点付きシートを提供することができる。
【００４０】
また、ベースシート２１を熱変形させて突出部２１Ａを形成しているため、新たな構成部材を用いることなく容易に形成でき、かつ突出部２１Ａに対向する上面の凹部２１Ｂ内に円柱形の操作突起５を固着し、その操作突起５の上部を凹部２１Ｂの上方位置に突出させているので安定した押圧面が得られ、したがって図示しない電子機器の操作ボタン下面との接触において、ひっかかりなどなく押圧操作され安定したものとなる。
【００４１】
また、図４の別形態の可動接点付きシートの断面図に示すような構成としても良い。
【００４２】
図４において、上述の可動接点付きシートと異なるところは、ベースシート２２下面に設けられた円形の突出部２２Ａの外径が操作突起５の外径より小さい寸法で設けられている点であり、それによって上面の凹部２２Ｂの内径も小さい。
【００４３】
そして、上面の凹部２２Ｂ内を埋めて接着剤４が操作突起５の下面をベースシート２２上面に固着して構成したものとしている。なお、ベースシート２２下面の粘着剤２や、その粘着剤２でドーム状の頂点部が粘着保持された可動接点３、保護シート６等は、上述構成のものと同じである。
【００４４】
この図４のような形態であれば、操作突起５より小径の突起部２２Ａから可動接点３に押圧力が加わり、可動接点３のドーム状の頂点部のさらに狭い範囲が押圧されるため、より軽快でクリック感の良好な可動接点付きシートが得られる。
【００４５】
また、凹部２２Ｂ内に接着剤４が埋め込まれて操作突起５が固着されているため、繰り返し押圧操作がなされても凹部２２Ｂつまり突起部２２Ａが潰れることがなく、長期にわたって軽快なクリック感を維持することができる。
【００４６】
なお、図１に示したものも、接着剤４で凹部２１Ｂ内を埋め込むようにして操作突起５を設けて突出部２１Ａの潰れを防止してもよい。
【００４７】
また、上記には、可動接点３のドーム状頂点部に対向したベースシート２１，２２の上面位置に操作突起５を設けた構成の実施例を説明したが、操作突起５を設けないで、電子機器の操作ボタンの下面をベースシート２１，２２上面に生じた凹部２１Ｂ，２２Ｂより大径の平面として押圧する構成などとしても良く、同様に軽快なクリック感を有するものにできる。
【００４８】
そして、上述説明した実施形態において、配線基板１１上面にレジスト１４を設けた構成で説明したが、このレジスト１４を設けないで、下面に粘着剤を備えた絶縁薄板製のスペーサーを配線基板１１上に粘着し、そのスペーサーの上面に上記可動接点付きシートを粘着して構成しても良い。また、そのスペーサーを、可動接点付きシート側に予め一体化させて構成した可動接点付きシートとしても良い。さらに、レジスト１４もスペーサーも設けないで、可動接点付きシートをベースシート２１，２２下面の粘着剤２で配線基板１１上に直接粘着して構成しても良い。可動接点３としても、外形が円形のもののみに限られることはなく、例えば外形が小判形や長円形のものであっても良い。
【産業上の利用可能性】
【００４９】
本発明による可動接点付きシートは、操作時に受ける押圧力を可動接点のドーム状頂点部に集中させることができて、軽快なクリック感を有するものを提供することができるという有利な効果を有し、各種電子機器の操作入力部等に有用である。
【符号の説明】
【００５０】
２  粘着剤
３  可動接点
４  接着剤
５  操作突起
６  保護シート
１１  配線基板
１２  中央固定接点
１３  外側固定接点
１４  レジスト
２１，２２  ベースシート
２１Ａ，２２Ａ  突出部
２１Ｂ，２２Ｂ  凹部
【図１】
2010244795.tif 000003
【図２】
2010244795.tif 000004
【図３】
2010244795.tif 000005
【図４】
2010244795.tif 000006
【図５】
2010244795.tif 000007
【図６】
2010244795.tif 000008
【図７】
2010244795.tif 000009
【図８】
2010244795.tif 000010